(57)【要約】【課題】電子機器に不慣れなユーザでも扱いやすい映像表示装置およびＤＶＤ再生装置の提供を目的とする。【解決手段】操作項目にカーソルを合わせつつ、リモコン６０のヘルプキー６６を押下げ操作することにより同操作項目が選択入力され、マイコン２０は、同選択入力された操作項目に対応する説明文の情報を半導体メモリ２２より取得して同説明文の情報に基づくＯＳＤ信号をＯＳＤ回路２０ｄに生成させ、生成されたＯＳＤ信号を映像信号処理回路１８に対して供給して映像信号に重畳させることにより説明文のＯＳＤ表示のなされた映像信号を出力させることによりディスプレイに説明文を表示させる。【選択図】図５
2007305175.tif 000002
【特許請求の範囲】
【請求項１】
挿入されたＤＶＤディスクに記憶されている映像デ−タを再生して映像信号として出力可能なディスク再生部と、
映像信号が入力されて、当該映像信号よりディスプレイに表示させるための映像信号を生成して出力する映像信号処理回路と、
所定のフォーマットのパルスで表現した赤外線信号を受信して対応する電圧信号を生成する赤外線受光回路と、
操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、
上記ディスプレイの画面にＯＳＤ表示させるため上記映像信号に重畳するＯＳＤ信号を生成するＯＳＤ回路を有し、上記赤外線受光回路から上記電圧信号を入力して対応するキー操作を検知することにより上記リモコンから操作入力を受け付け、受け付けた操作入力に対応したＯＳＤ信号を生成するとともに所定の階層構造で階層化された操作項目を階層毎に画面に一覧表示させるＯＳＤ信号を生成し、上記映像信号処理回路より出力された映像信号に含まれる上記操作項目の中からいずれかを選択する操作入力を上記リモコンから受け付けるとともに選択された末端階層の上記操作項目に対応する設定処理を実行するマイコンと、
上記操作項目それぞれの説明文を表す情報と同説明文の文節単位の「より詳細な説明」を表す情報とを記憶した半導体メモリと、
を備えるＤＶＤ再生装置において、
上記リモコンは、上記操作項目に対する説明文を画面に表示させるためのヘルプキーを備え、
上記マイコンは、
上記階層化された操作項目のいずれかにカーソルを合わされつつ上記ヘルプキーが操作入力されることにより同操作項目の選択入力を受け付けると、同選択入力された操作項目に対応する説明文の情報を上記半導体メモリより取得して同説明文の情報に基づくＯＳＤ信号を上記ＯＳＤ回路に生成させ、生成されたＯＳＤ信号を上記映像信号処理回路に対して供給して映像信号に重畳させることにより説明文のＯＳＤ表示のなされた映像信号を出力させ、
上記説明文が表示されつつ上記ヘルプキーの操作入力を受け付けると、上記説明文の文節単位を操作項目としつつ同操作項目間を移動可能なカーソルを表示したＯＳＤ信号を上記ＯＳＤ回路に生成させて画面を表示させ、生成されたＯＳＤ信号を上記映像信号処理回路に対して供給して映像信号に重畳させることにより、上記説明文の文節単位で移動可能なカーソルを表示したＯＳＤ表示のなされた映像信号出力させ、
上記リモコンより上記説明文のいずれかの文節の選択入力を受け付け、同選択入力された文節に対応する「より詳細な説明」の情報を上記半導体メモリより取得して同「より詳細な説明」の情報に基づくＯＳＤ信号を上記ＯＳＤ回路に生成させ、生成されたＯＳＤ信号を上記映像信号処理回路に対して供給して映像信号に重畳させることにより説明文のＯＳＤ表示のなされた映像信号を出力させる
ことを特徴とするＤＶＤ再生装置。
【請求項２】
所定の階層構造で階層化された操作項目を階層毎に一覧表示させる映像信号を出力し、表示させた上記操作項目の中からいずれかを選択する操作入力を操作入力手段から受け付けるとともに、選択された末端階層の上記操作項目に対応する設定処理を実行する映像表示装置において、
上記操作項目にカーソルを合わせつつ所定の操作入力を操作入力手段より受け付けると当該操作項目に対応する説明文を表示させる説明文表示手段
を備えることを特徴とする映像表示装置。
【請求項３】
上記説明文表示手段にて表示する説明文の難易度を変更させる説明文難易度変更手段
を備えることを特徴とする上記請求項２に記載の映像表示装置。
【請求項４】
上記説明文表示手段にて表示される説明文において、同説明文を構成する要素に対する説明を表示させる説明文要素説明表示手段
を備えることを特徴とする上記請求項２または請求項３に記載の映像表示装置。
【発明の詳細な説明】
【技術分野】
【０００１】
本発明は、セットアップメニューを備えるＤＶＤ再生装置および映像表示装置に関する。
【背景技術】
【０００２】
近年、ＤＶＤ再生装置などの映像表示装置においてセットアップ作業を行う場合、多機能化に伴ってセットアップを行うメニュー画面が多岐にわたるようになり、取扱説明書を読まなければ理解し難い項目も多くなってきている。したがって、最初からセットアップを行うことをあきらめるユーザも多い。
さらに、ＵＳＡ（Ｕｎｉｔｅｄ  Ｓｔａｔｅｓ  ｏｆ  Ａｍｅｒｉｃａ）などでは、電子機器を購入すると店の前で取扱説明書および梱包用の箱を全て捨てて本体のみを車に積んで持ち帰る、といったユーザも多く、このようなユーザは、操作が分からないと返品してしまうことがあった。
このような状況に鑑みて、特許文献１には、リモコンにヘルプキーを設け、キー操作にエラーがあったときにはエラーマークを表示し、その後、ヘルプキーが押された場合に、キー操作の内容、エラーの説明、エラー解消のための操作案内を画面表示するようにしたＤＶＤ等の映像再生装置が開示されている。
また、特許文献２には、リモコンハンドユニットのＭＥＮＵボタンを押下げすることにより、画面にリモコン本体およびその操作ボタンがグラフィック表示され、ヘルプモードに遷移し、ユーザが操作したボタンの機能説明文が画面上にＯＳＤ表示されるようにしたＡＶ機器が開示されている。
そして、特許文献３には、リモコン送信機の簡易操作モード実行キーが押されたとき、この操作キーの機能説明を付記した画面表示となる放送受信装置の構成が開示されている。
さらに、特許文献４には、ユーザ操作部の中の特定のキーを押下げするワンタッチ操作により、音声ガイダンスが開始され、表示部に表示されている項目の機能の中から任意の機能を選択すると、その機能の設定のために必要な手順を示す音声ガイダンスを開始する携帯電話の構成が開示されている。
また、特許文献５には、ＤＶＤプレーヤにおいて、リモコンのセットアップボタンが押されて開始されるセットアップモードの際に画面表示項目に関して開示されている。
【特許文献１】特開２００５−９２９９７
【特許文献２】特開平９−１３０６９５
【特許文献３】特開２００１−２８５９６５
【特許文献４】特開２００４−２６６４０２
【特許文献５】特開２００５−１２３４７
【発明の開示】
【発明が解決しようとする課題】
【０００３】
しかしながら、上述した特許文献１〜５はいずれも取扱説明書のレベルの内容を表示するものであって、取扱説明書を読んでもメニュー画面の操作項目が何を行うものか分からないというユーザに対応するものではなかった。
【０００４】
本発明は、上記課題にかんがみてなされたもので、セットアップを行うメニュー画面において、操作項目ごとの詳細な説明文を表示させることにより、電子機器に不慣れなユーザでも扱いやすい映像表示装置およびＤＶＤ再生装置の提供を目的とする。さらに、多岐にわたる取扱説明書とは違って、情報過多によるユーザの混乱を防ぐことの可能な映像表示装置およびＤＶＤ再生装置の提供を目的とする。
【課題を解決するための手段】
【０００５】
上記課題を解決するために、本発明の請求項１にかかる発明では、挿入されたＤＶＤディスクに記憶されている映像デ−タを再生して映像信号として出力可能なディスク再生部と、映像信号が入力されて、当該映像信号よりディスプレイに表示させるための映像信号を生成して出力する映像信号処理回路と、所定のフォーマットのパルスで表現した赤外線信号を受信して対応する電圧信号を生成する赤外線受光回路と、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、上記ディスプレイの画面にＯＳＤ表示させるため上記映像信号に重畳するＯＳＤ信号を生成するＯＳＤ回路を有し、上記赤外線受光回路から上記電圧信号を入力して対応するキー操作を検知することにより上記リモコンから操作入力を受け付け、受け付けた操作入力に対応したＯＳＤ信号を生成するとともに所定の階層構造で階層化された操作項目を階層毎に画面に一覧表示させるＯＳＤ信号を生成し、上記映像信号処理回路より出力された映像信号に含まれる上記操作項目の中からいずれかを選択する操作入力を上記リモコンから受け付けるとともに選択された末端階層の上記操作項目に対応する設定処理を実行するマイコンと、上記操作項目それぞれの説明文を表す情報と同説明文の文節単位の「より詳細な説明」を表す情報とを記憶した半導体メモリと、を備えるＤＶＤ再生装置において、上記リモコンは、上記操作項目に対する説明文を画面に表示させるためのヘルプキーを備え、上記マイコンは、上記階層化された操作項目のいずれかにカーソルを合わされつつ上記ヘルプキーが操作入力されることにより同操作項目の選択入力を受け付けると、同選択入力された操作項目に対応する説明文の情報を上記半導体メモリより取得して同説明文の情報に基づくＯＳＤ信号を上記ＯＳＤ回路に生成させ、生成されたＯＳＤ信号を上記映像信号処理回路に対して供給して映像信号に重畳させることにより説明文のＯＳＤ表示のなされた映像信号を出力させ、上記説明文が表示されつつ上記ヘルプキーの操作入力を受け付けると、上記説明文の文節単位で移動可能なカーソルを表示したＯＳＤ信号を上記ＯＳＤ回路に生成させて画面を表示させ、生成されたＯＳＤ信号を上記映像信号処理回路に対して供給して映像信号に重畳させることにより、上記説明文の文節単位で移動可能なカーソルを表示したＯＳＤ表示のなされた映像信号出力させ、上記リモコンよりいずれかの文節の選択入力を受け付け、同選択入力された文節に対応する「より詳細な説明」の情報を上記半導体メモリより取得して同「より詳細な説明」の情報に基づくＯＳＤ信号を上記ＯＳＤ回路に生成させ、生成されたＯＳＤ信号を上記映像信号処理回路に対して供給して映像信号に重畳させることにより説明文のＯＳＤ表示のなされた映像信号を出力させる構成としてある。
【０００６】
また、上記目的を達成するために、請求項２に記載の映像表示装置では、所定の階層構造で階層化された操作項目を階層毎に一覧表示させる映像信号を出力し、表示させた上記操作項目の中からいずれかを選択する操作入力を操作入力手段から受け付けるとともに、選択された末端階層の上記操作項目に対応する設定処理を実行する映像表示装置において、上記操作項目にカーソルを合わせつつ所定の操作入力を操作入力手段より受け付けると当該操作項目に対応する説明文を表示させる説明文表示手段を備える構成としてある。
すなわち、上記操作項目にカーソルを合わせつつ所定の操作入力を上記操作入力手段より受け付けると、上記説明文表示手段が当該操作項目に対応する説明文を表示させる映像信号を出力させる。従って、ユーザは操作項目ごとに何を行うための操作項目であるかを、容易に知ることが出来る。さらに操作を行いつつ説明文を表示させることができるため自分の知りたい瞬間に知りたい事柄だけをピンポイントに表示させることができるためユーザの利便性が向上する。さらに、取扱説明書を不用ならしめることも可能である。むろん取扱説明書よりも平易な文章にて説明文を記載することにより、取扱説明書好まないユーザに好適である。以上の効果によりユーザクレームの防止にも繋がることはいうまでも無い。
【０００７】
そして、上記請求項２に記載の発明を、よりフレキシブルに様々なユーザに対応可能とする構成として、請求項３にかかる発明では、上記請求項２に記載の映像表示装置において、上記説明文表示手段にて表示する説明文の難易度を変更させる説明文難易度変更手段を備える構成としてある。
すなわち、上記説明文難易度変更手段が上記説明文表示手段にて表示される説明文の難易度を変更可能としている。すなわちユーザにとって説明文の難易度が高いときにはより平易な表現の説明文に変更可能とするとともに、ユーザにとって説明文の難易度が低いときにはより専門的な内容の説明文に変更可能となる。従って、コアなユーザから一般のユーザまで対応可能な映像表示装置を提供することが可能となる。
【０００８】
さらに、請求項４にかかる発明では、上記請求項２または請求項３に記載の映像表示装置において、上記説明文表示手段にて表示される説明文において、同説明文を構成する要素に対する説明を表示させる説明文要素説明表示手段を備える構成としてある。
すなわち、上記説明文要素説明表示手段が上記説明文表示手段にて表示される説明文の構成要素に対する説明を表示させる。構成要素としては単語単位でもよいし、文節単位でもよいし、文章単位でよく、ひとかたまりで説明可能な文の構成要素であればいかなるものであってもよい。これにより操作項目に対する説明文ですら難しいというユーザであっても、文の構成要素単位で説明を受けることが可能となるため、操作項目からの操作を完了させることが可能となる。
【発明の効果】
【０００９】
以上説明したように本発明によれば、ユーザは操作項目ごとに何を行うための操作項目であるかを、容易に知ることが出来る。さらに操作を行いつつ説明文を表示させることができるため自分の知りたい瞬間に知りたい事柄だけをピンポイントに表示させることができるためユーザの利便性が向上する映像表示装置を提供することが出来る。さらに、取扱説明書を不用ならしめることも可能である。むろん取扱説明書よりも平易な文章にて説明文を記載することにより、取扱説明書好まないユーザに好適である。さらに通常時は説明文そのものを隠しておく為、情報過多による混乱を防ぐ効果がある。以上の効果によりユーザクレームの防止にも繋がることはいうまでも無い。
【００１０】
また請求項３にかかる発明によれば、コアなユーザから一般のユーザまでフレキシブルに様々なユーザに対応可能な映像表示装置を提供することができる。
そして請求項４にかかる発明によれば、操作項目に対する説明文ですら難しいというユーザであっても、文の構成要素単位で説明を受けることが可能となるため、操作項目からの操作を完了させることが可能な映像表示装置を提供できる。
さらに請求項１のような、より具体的な構成において、上述した請求項２〜請求項４の各発明と同様の作用を奏することはいうまでもなく、さらに、ヘルプキーを単独で設けることで、電子機器に不慣れなユーザでも手軽に説明文を表示させられるため、操作性の向上が見込める。
【発明を実施するための最良の形態】
【００１１】
以下、下記の順序に従って本発明の実施形態を説明する。
（１）ＤＶＤ再生装置を備えたテレビジョンの概略構成：
（２）セットアップキー押下げ時のマイコンの処理：
（３）説明文を表示するマイコンの処理の第一の変形例：
（４）説明文を表示するマイコンの処理の第二の変形例：
（５）まとめ：
【００１２】
（１）ＤＶＤ再生装置を備えたテレビジョンの概略構成： 
以下、本発明の実施形態について説明する。なお、以下においては、本発明の映像表示装置の一例としてＤＶＤ再生装置などのディスク再生装置が内蔵されたテレビジョンについて説明するが、後述するよう本発明はこれに限定されるものではない。
【００１３】
図１は、本実施例にかかるテレビジョンの概略構成をブロック図にて示している。同図において、テレビジョン１００は、概略、アンテナ１０ａからのテレビジョン放送信号が入力されるチューナ部１０と、ディスクに記憶されている映像データを再生するためのディスク再生部３２と、スイッチ回路１２と、分離回路１４と、スピーカ２８に音声を出力する音声信号処理回路１６と、ディスプレイ３０に映像信号を出力する映像信号処理回路１８と、ＣＰＵ２０ａやＲＡＭ２０ｂやＲＯＭ２０ｃやＯＳＤ回路２０ｄを備えたマイコン２０と、半導体メモリ２２と、リモコン６０からの赤外線信号を受信して対応する電圧信号を出力するリモコンＩ／Ｆ２４とから構成されている。
【００１４】
チューナ部１０は、いわゆるシンセサイザ方式のチュ−ナの構成とされ、選局制御信号としてＰＬＬデータ、すなわち、ＰＬＬル−プにおける可変分周回路の分周比のデ−タが与えられる。すなわち、チューナ部１０では、マイコン２０から選局制御信号としてのＰＬＬデータを受けて、入力されたテレビジョン放送信号から所望の周波数帯の周波信号を抽出することにより、複数の受信チャンネルのなかから一つの受信チャンネルを選択する。
【００１５】
ディスク再生部３２は、ＤＶＤディスクに記憶されている映像デ−タを再生して映像信号として出力する。なお、このディスク再生部３２は、ＤＶＤディスクの他、ＶｉｄｅｏＣＤ等に記憶されている映像デ−タの再生や、ＣＤ−ＤＡに記憶されている音声デ−タの再生を行うことが可能となっている。
【００１６】
スイッチ回路１２は、上述したチューナ部１０およびディスク再生部３２に接続されている。このスイッチ回路は、分離回路１４に供給する映像信号および音声信号の供給元を、チューナ部１０と再生部２７とのいずれかに切り替える。スイッチ回路１２がチューナ部１０と分離回路１４とを接続しているときには、チューナ部１０から出力される信号に基づく映像がディスプレイ３０に表示されるとともに、同信号に基づく音声がスピーカ２８から出力される。一方、スイッチ回路１２がディスク再生部３２と分離回路１４とを接続しているときには、挿入されたＤＶＤディスク等から読み出された映像デ−タに基づいてディスク再生部３２から出力される信号に基づく映像がディスプレイ３０に表示されるとともに、同信号に基づく音声がスピーカ２８から出力される。
【００１７】
スイッチ回路１２に接続された分離回路１４は、入力された信号から、映像信号と音声信号と同期信号を分離するとともに、同映像信号を後述する映像信号処理回路１８に供給し、同音声信号を音声信号処理回路１６に供給し、同同期信号をマイコン２０に供給する。チューナ部１０からの信号を分離回路１４が出力しているにもかかわらず、この同期信号が供給されないとマイコン２０が判断したときは、受信電波がなく、電波障害等が発生したと判断する。
【００１８】
映像信号処理回路１８は、Ｙ／Ｃ分離回路、クロマデコ−ダ等を含み分離回路１４にて分離された映像信号を入力し、同映像信号に対して各種の処理を行う。そして、同各種の処理が行われた映像信号はディスプレイ３０に供給され、ディスプレイ３０にて同映像信号に基づく映像が表示される。本発明においては、テレビ映像を表示させるテレビ機能が、アナログの放送電波に基づくテレビ映像を表示させるものであっても、デジタルの放送電波に基づくテレビ映像を表示させるものであってもよく、映像信号処理回路１８は、受信可能に設定しようとする放送電波の種別に応じて任意に設計することが可能である。また、音声信号処理回路１６は、分離回路１４にて分離された音声信号を入力し、同音声信号に対して、スピーカ２８から同音声信号に基づく音声を出力可能とするための各種の処理を実行する。また、この音声信号処理回路は、増幅回路を含み、マイコン２０からの命令信号に基づいて、スピーカ２８から出力される音声の音量を増大させることが可能となっている。
【００１９】
マイコン２０は、内部に、ＣＰＵ２０ａ、ＲＡＭ２０ｂ、ＲＯＭ２０ｃ，ＯＳＤ（オンスクリーンディスプレイ）回路２０ｅを備えており、テレビジョン１００の各種機能を実現するための制御処理を実行する。この制御処理を実行するプログラムは、予めＲＯＭ２０ｃに格納されており、ＣＰＵ２０ａは、適宜ＲＯＭ２０ｃから所定のプログラムをＲＡＭ２０ｂに読み込みつつＲＡＭ２０ｂをワークエリアとして制御処理を実行する。
【００２０】
ＯＳＤ回路２０ｄは、ディスプレイ３０の画面にＯＳＤ表示する画像を表すＯＳＤ信号を生成し、映像信号処理回路１８に対して出力して映像信号に重畳させる。また、マイコン２０は、ＣＰＵ２０ａの制御により、リモコンＩ／Ｆ２４から電圧信号が入力されて対応するキー操作を検知するとリモコン６０からの操作入力を受け付け、受け付けた操作入力に対応したＯＳＤ信号を生成する。そして、ディスプレイ３０の画面に表示された操作項目の中からいずれかを選択する操作入力をリモコン６０から受け付けるとともに、選択された操作項目に対応する設定処理を実行する。
【００２１】
また、バス２６には書き換え可能なＥＥＰＲＯＭやフラッシュメモリなどの半導体メモリ２２が接続されており、マイコン２０は半導体メモリ２２に記憶された各種デ−タを使用して制御処理を実行する。半導体メモリ２２には、例えば、通常のテレビジョン１００の制御処理にはない後述する取扱説明書のデータなどが格納されており、リモコン６０等からの操作入力に基づいて適宜読み出して表示や実行が行われる。さらに、バス２６にはリモコンＩ／Ｆ２４が接続されており、外部機器としてのリモコン６０から出力される赤外線信号を入力可能になっている。この赤外線信号は、バス２６を介してマイコン２０に送出され、マイコン２０は対応する制御処理を実行する。
【００２２】
図２に示すように、リモコン６０は所定の操作面にチャンネルキー（数字キー）６３、音量調節キー６２ａ，６２ｂ、上下左右カーソル移動キー６１ａ，６１ｂ，６１ｃ，６１ｄ、エンターキー６１ｅ、セットアップキー６４、ヘルプキー６６、リターンキー６７などの複数のキーを備えている。また、上記赤外線信号を上記赤外線受光回路に向けて送信する赤外線送信回路を有し、複数のキーの操作に応じた赤外線信号を所定のフォーマットで送出する。例えば、リモコン６０を用いて所望のチャンネルを受信させるべく操作すると、赤外線送信部より対応する赤外線信号が送出される。そして、マイコン２０がリモコンＩ／Ｆ２４を介して同赤外線信号を受信し、対応するチャンネルを受信させるように周波数データをチューナ部１０に送出する。
【００２３】
図３に所定の階層構造で階層化された操作項目の一例を示す。リモコン６０のセットアップキー６４が押し下げ操作されると、テレビジョン１００の画面にはセットアップメニューが表示される。このセットアップメニューとして最初に表示されるのは、操作項目を大きく分類した操作項目であるところのメインメニューであり、このメインメニューには「言語」、「表示」、「音声」、「パレンタル」、「その他」などが表示される。次に、同メインメニューのメニューブロックの操作項目をリモコン６０にて選択入力するとサブメニューのメニューブロックが画面に表示される。例えばメインメニューで「表示」を選択入力したときは、サブメニューにおいて、「戻る」、「画面モード」、「アングルアイコン」、「オートパワーオフ」などの操作項目が表示される。
【００２４】
（２）セットアップキー押下げ時のマイコンの処理： 
以下、図４を参照してテレビジョン１００のセットアップを行うメニュー画面から操作項目の選択入力を受け付けて対応する設定処理を実行するマイコン２０の処理を説明する。同図には、セットアップキー６４の押下げを監視するとともに、セットアップキー６４押下げ時のマイコン２０の処理をフローチャートにて示した。なおこの処理はテレビジョン１００の電源がオンの間は繰り返し行われる。
【００２５】
処理を開始すると、まずステップＳ１０で、リモコン６０のセットアップキー６４が押下げ操作されたか否かを判断する。リモコン６０は、各種キーが押し下げられる操作が行われると、当該操作を検知して操作に対応するパルスで表現した赤外線信号を赤外線送信回路からテレビジョン本体に向けて送信する。すると、リモコンＩ／Ｆ２４が赤外線信号を受光して対応する電圧信号を生成する。マイコン２０はリモコンＩ／Ｆ２４からの電圧信号の入力を常時監視しており、電圧信号で表される情報を識別することによりリモコンに対して行われたキー操作を検知する。これにより、マイコン２０はリモコン６０からの操作入力を受け付ける。
【００２６】
つまりユーザーがリモコン６０のセットアップキー６４を押し下げる操作を行うと、リモコン６０は、セットアップキー６４の押し下げ操作を検知し、当該押し下げ操作に対応するパルスで表現した赤外線信号を赤外線送信回路からテレビジョン本体に向けて送信する。すると、リモコンＩ／Ｆ２４が赤外線信号を受光して対応する電圧信号を生成し、マイコン２０は同電圧信号を識別してセットアップキー６４の押し下げ操作を検知するので、ステップＳ１０では条件成立となり、ステップＳ１２に進む。なお、セットアップキー６４が押し下げ操作されていない場合にはマイコン２０はセットアップキー６４の押し下げ操作を検知しないので、ステップＳ１０は条件不成立となり、本フローを終了する。
【００２７】
ステップＳ１２では、ＲＡＭ２０ｂ内に設けた階層ポインタを初期化する。この階層ポインタは、図３で示した各メニューブロックのいずれかに対応させた数値を格納するためのポインタであり、例えば、最上位階層であるメインメニューのメニューブロックを”１”、当該最上位階層よりも一段下位の階層であって「１．言語」の直下のサブメニューブロックの階層を”２”、「２．表示」の直下のサブメニューブロックの階層を”３”、等に対応させることができる。
【００２８】
ステップＳ１４では、メニュー画面において階層に応じた操作項目全てを表す情報をＲＯＭ２０ｃより取得する。図３を参照して説明すると、階層ポインタが”１”であればメインメニューの操作項目全てを表す情報をＲＯＭ２０ｃから取得し、階層ポインタが”２”であればサブメニューの「画質」に対応する操作項目全てを表す情報をＲＯＭ２０ｃから取得する。
【００２９】
ステップＳ１６では、ステップＳ１４で取得した操作項目全てを表す情報に基づいて当該操作項目の一覧を操作項目のいずれかの位置に対応させたカーソルとともにＯＳＤ表示させるＯＳＤ信号をＯＳＤ回路２０ｄに生成させ、映像信号処理回路１８において映像信号に当該生成したＯＳＤ信号を重畳させ、ＯＳＤ信号を重畳した映像信号をディスプレイ３０の画面に表示させる。つまり、映像信号にＯＳＤ信号が重畳されているので、テレビジョン１００の画面にはカーソルとともに操作項目の一覧が図６の左の図のように表示される。従って、ユーザーはこのメニュー画面に従ってリモコン６０に配置された操作キーを押し下げ操作することで操作項目の選択入力を行うことができ、マイコン２０は、リモコンＩ／Ｆ２４から出力される電圧信号から対応するキー操作を検知することにより、リモコン６０からの操作入力を受け付けることができる。
【００３０】
ステップＳ１８では、ヘルプキー６６が押下げ操作されたか否かを判断する。ヘルプキー６６の押下げ操作を検知した場合は条件成立としてステップＳ４０に進み説明文表示処理を行う。一方、ヘルプキー６６の押下げ操作を検知しない場合は条件不成立となりステップＳ２０へと進む。
【００３１】
ステップＳ２０では、カーソル移動キー６１ａ，６１ｂ，６１ｃ，６１ｄの押下げ操作を受け付けた否かを判断する。上下左右カーソル移動キー６１ａ，６１ｂ，６１ｃ，６１ｄの操作を検知した場合、条件成立としてステップＳ２２に進んでカーソル移動キーの方向に合わせてカーソルを上下左右に移動させる。一方、カーソル移動キー６１ａ，６１ｂ，６１ｃ，６１ｄの押下げを検知しない場合、条件不成立となりステップＳ２４へと進む。すなわち
【００３２】
ステップＳ２４では、エンターキー６１ｅの操作を受け付けたか否かを判断する。エンターキー６１ｅの操作を検知した場合は条件成立としてステップＳ２６に進み、一方、エンターキー６１ｅの操作を検知しない場合は条件不成立としてステップＳ１８以降の処理を繰り返す。
【００３３】
すなわち、メニュー画面を視認してセットアップを行っているユーザが、メニュー画面の操作項目のいずれかが何を行う操作項目なのかよくわからず同操作項目の説明を欲したとき、同操作項目にカーソルを合わせてヘルプキー６６を押下げ操作すると、同操作項目の説明文が表示される。一方、メニュー画面の操作項目が何を行うための操作項目であるかが分かっているユーザは、自分の望む操作項目にカーソルを合わせてエンターキー６１ｅを押下げ操作することで同操作項目の選択入力を行い、同操作項目に対応するメニュー画面を表示させることが出来る。（ステップＳ１８〜Ｓ２４）
【００３４】
ステップＳ２４でエンターキー６１ｅの操作を検知した場合、ステップＳ２６に進み、カーソルの位置にある操作項目の選択入力を受け付けたことになり、図３で示したような階層構造を表す情報を参照して同選択された操作項目に応じて階層ポインタを更新する。図３を参照して説明すると、メインメニューが画面表示されているときに「２．表示」が選択入力されると「２．表示」に対応させた数値を階層ポインタとして格納し、「２．表示」のサブメニューが画面表示されているときに「２．画目モード」が選択入力されると「２．画面モード」に対応させた数値を階層ポインタとして格納する。
【００３５】
その後、ステップＳ５０で、選択された操作項目の階層が末端の階層であるか否かを判断する。図３で示した階層構造の情報には操作項目が末端であるか否かを表す情報が含まれており、当該情報に基づいて上記選択入力された操作項目が階層の末端であるか否かを判断することができる。選択された操作項目が末端の階層であると判断した場合、ステップＳ３０に進み、選択された操作項目に対応する設定処理を実行して、本フローを終了する。
【００３６】
例えば、各操作項目に対応する所定のデータに基づいてＯＳＤ信号をＯＳＤ回路に生成させ、生成したＯＳＤ信号を映像信号に重畳して映像信号処理回路１８に対して供給し、ユーザの操作に従い各操作項目に対応する処理を行ったのち処理を終了する。一方、ステップＳ２４にて選択入力された操作項目が階層の末端でないと判断した場合、ステップＳ１４〜Ｓ２８の処理を繰り返す。
【００３７】
一方、ステップＳ１８にて条件成立となり、ステップＳ４０に進むと、図５の説明文表示処理を行う。ステップＳ４１では、ステップＳ１８でヘルプキー６６の操作を検知した時点で、カーソルの位置にある操作項目に対応する説明文の情報を半導体メモリ２２より取得して同説明文の情報に基づくＯＳＤ信号をＯＳＤ回路１２ｄに生成させる。そして、生成されたＯＳＤ信号を、映像信号処理回路１８に対して供給し、映像信号に重畳させることにより説明文のＯＳＤ表示を行わせる。従って、図６の左図から右図への変化のように、ヘルプキー６６を押下げ操作したときにカーソル表示された操作項目の説明文が表示され、ユーザはそれを読むことにより同操作項目が何を行うための操作項目であるかを知ることが出来る。
【００３８】
そして、ステップＳ４２では、リターンキー６７の押下げ操作を検知したか否かを判断する。リターンキー６７の押下げ操作を検知すると条件成立として図５の処理を終了して図４の処理に戻り、ステップＳ１４からの処理を繰り返す。一方、リターンキー６７の操作を検知しないと条件不成立としてステップＳ４２の処理を繰り返す。従って、ユーザが図６の左図の説明文を読み終わってリターンキー６７を押し下げ操作すると、ＲＡＭ１２ｂに格納されている階層ポインタはヘルプキー６６押下げ操作以前と変化していないので、図６の左図のようにヘルプキー６６が押下げ操作された時に画面に表示されていたセットアップのメニュー画面が再び画面に表示される。
【００３９】
以上より、セットアップを行うメニュー画面がディスプレイ３０の画面に表示されているときに、ヘルプキー６６の押下げを検知して操作項目に対応する説明文を表示するステップＳ１８、Ｓ４０の処理を行うマイコン２０が、上記操作項目にカーソルを合わせつつ所定の操作入力を操作入力手段より受け付けると当該操作項目に対応する説明文を表示させる説明文表示手段を構成する。
【００４０】
（３）説明文を表示するマイコンの処理の第一の変形例： 
上述した実施形態における説明文表示処理では、ヘルプキー６６を押下げ操作すると説明文を表示し、ユーザが同説明文を読み終わるとリターンキー６７の押下げで元の画面に戻る構成とした。このように構成した場合、ステップＳ４１にて表示される説明文を読んでも、ユーザが操作項目にて割り当てられた設定操作の内容を十分に理解できないことも考えられる。かかる場合、ユーザによっては返品やクレームを行うことが考えれられる。従って、上述した実施形態よりも詳細な説明をユーザに提供することが可能な説明文表示処理として、図７に説明文表示処理の第一の変形例にかかる処理内容をフローチャートにて示した。
【００４１】
処理が開始されると、ステップＳ１００において、ステップＳ１８でヘルプキー６６の操作を検知した時点で、カーソルの位置にある操作項目に対応する説明文の情報を半導体メモリ２２より取得して同説明文の情報に基づくＯＳＤ信号をＯＳＤ回路１２ｄに生成させる。そして、生成されたＯＳＤ信号を、映像信号処理回路１８に対して供給し、映像信号に重畳させることによりカーソルが「より詳細な説明」ボタンにカーソルを合わせた説明文のＯＳＤ表示を行わせる。従って、ヘルプキー６６を押下げ操作したときにカーソル表示された操作項目の説明文が、図８のように表示され、ユーザはそれを読むことにより同操作項目が何を行うための操作項目であるかを知ることが出来る。
【００４２】
ここで、図８の説明文にてユーザが満足すると、ユーザはリターンキー６７を押下げ操作する。すると、マイコン２０はリターンキー６７の操作を検知するので、ステップＳ１０２で条件成立となり図７の処理を終了して図４の処理へと戻り、ステップｓ１４からの処理を繰り返す。一方、マイコン２０がリターンキー６７の操作を検知しないとステップＳ１０２は条件不成立となり、ステップＳ１０４へと進む。
【００４３】
そして、ユーザが図８の説明文では満足しないときは、ユーザはエンターキー６１ｅを押下げ操作する。従って、マイコン２０は、エンターキー６１ｅの押下げ操作を検知するのでステップＳ１０４で条件成立となり、ステップＳ１０６に進む。一方、ステップＳ１０４でエンターキー６１ｅの押下げ操作を検知しないと条件不成立としてステップｓ１０２からの処理を繰り返す。つまり、ユーザが図８の説明文で満足するとリターンキー６７を押下げ操作するので図６の左のようなセットアップのメニュー画面に復帰する。しかしながら、ユーザが図８の説明文では十分に理解できないとして、エンターキー６１ｅの押下げ操作をすると「より詳細な説明」が選択入力される。このとき、画面には図８の説明文をより噛み砕いて説明した説明文が表示される。そして「より詳細な説明」においては、さらに詳細な説明を表示させる為のボタンを設けてもよいし、リターンキー６７とエンターキー６１ｅのいずれが押下げ操作されてもセットアップのメニュー画面に復帰する構成としても構わない。さらに、さらに詳細な説明を表示するに当たり、取扱説明書（マニュアル）などの内容をそのまま表示させる構成としても、むろん構わない。これにより取扱説明書を同梱する事無く出荷することも可能となり、店の前で梱包材ごと取扱説明書を捨てていくようなユーザに好適である。
【００４４】
以上より、セットアップを行うメニュー画面がディスプレイ３０の画面に表示されているときに、ヘルプキー６６の押下げを検知して操作項目に対応する説明文を表示するステップＳ１００〜Ｓ１０６の処理を行うマイコン２０が、第一の変形例における説明文表示手段を構成する。
【００４５】
また、「より詳細な説明」ボタンを説明文のＯＳＤ画面に表示して、同「より詳細な説明」ボタンの選択入力を受け付けるステップＳ１００〜Ｓ１０６の処理を実行するマイコン２０が、上記説明文表示手段にて表示する説明文の難易度を変更させる説明文難易度変更手段を構成する。
【００４６】
（４）説明文を表示するマイコンの処理の第二の変形例： 
上述した実施形態および第一の変形例における説明文表示処理よりもより詳細な説明をユーザに提供できる構成として、図９に説明文表示処理の第二の変形例にかかる処理内容をフローチャートにて示した。
【００４７】
同図において、ステップＳ２００では、ステップＳ１８でヘルプキー６６の操作を検知した時点で、カーソルの位置にある操作項目に対応する説明文の情報を半導体メモリ２２より取得して同説明文の情報に基づくＯＳＤ信号をＯＳＤ回路１２ｄに生成させる。そして、生成されたＯＳＤ信号を、映像信号処理回路１８に対して供給し、映像信号に重畳させることにより説明文のＯＳＤ表示を行わせる。従って、ヘルプキー６６を押下げ操作したときにカーソル表示された操作項目の説明文が表示され、ユーザはそれを読むことにより同操作項目が何を行うための操作項目であるかを知ることが出来る。
【００４８】
ここで、上記説明文にてユーザが満足すると、ユーザはリターンキー６７を押下げ操作する。すると、マイコン２０はリターンキー６７の操作を検知するので、ステップＳ２０２で条件成立となり図９の処理を終了して図４の処理へと戻り、ステップｓ１４からの処理を繰り返す。一方、マイコン２０がリターンキー６７の操作を検知しないとステップＳ２０２は条件不成立となり、ステップＳ２０４へと進む。
【００４９】
ステップＳ２０４では、ヘルプキー６６の押下げ操作を検知したか否かを判断する。ヘルプキー６６の押下げ操作を検知すると条件成立としてステップＳ２０６に進み、図１０のように文節単位で移動可能なカーソルを表示したＯＳＤ画面を表示させる。同カーソルは、例えば図１０のように表示され、「アスペクト比の設定」、「静止画の表示方法の設定」、「プログレッシブモードの切り替え」などの説明文の文節や文の構成要素単位で移動可能とされ、カーソル移動キー６１ａ、６１ｂ、６１ｃ、６１ｄのいずれかを押下げ操作することにより各文節をカーソルが移動可能となっている。上述した文節の切り方は一例であり、より細かく文を切っても構わないし、より大きく文を切っても構わない。
【００５０】
ステップＳ２０８では、カーソル移動キー６１ａ、６１ｂ、６１ｃ、６１ｄのいずれかの押下げ操作を検出したか否かを判断する。カーソル移動キーのいずれかの押下げ操作を検出すると条件成立としてステップＳ２１０に進み、押下げ操作されたカーソル移動キーに対応付けられた方向にカーソルを移動させてステップＳ２１２に進む。一方カーソル移動キーのいずれの押下げ操作も検知しないと条件不成立としてステップＳ２１２に進む。
【００５１】
ステップＳ２１２では、エンターキー６１ｅの押下げ操作を検出したか否かを判断する。エンターキー６１ｅの押下げ操作を検出すると条件成立としてステップＳ２１４に進み、エンターキー６１ｅの押下げ操作を検出しないと条件不成立としてステップＳ２１６に進む。
【００５２】
ステップＳ２１４では、ステップＳ２１２でエンターキー６１ｅの押下げ操作を検出した時点でカーソルが合わせて表示されていた文節が選択入力されたとし、同選択入力された文節に対応する「より詳細な説明」を画面に表示させる。すなわち、各文節をより詳細に説明する説明文を表す情報がＥＥＰＲＯＭ２２に格納されており、文節が選択入力されることにより同情報が読み出されて画面にＯＳＤ表示される。
【００５３】
そして、ステップＳ２１６では、リターンキー６７の押下げ操作を検知したか否かを判断する。リターンキー６７の押下げ操作を検知すると条件成立となり図９の処理を終了して図４の処理へと戻り、ステップＳ１４からの処理を繰り返す。一方、リターンキー６７の操作を検知しないとステップＳ２１６は条件不成立となり、ステップＳ２０８からの処理を繰り返す。
【００５４】
以上より、セットアップを行うメニュー画面がディスプレイ３０の画面に表示されているときに、ヘルプキー６６の押下げを検知して操作項目に対応する説明文を表示するステップＳ２００〜Ｓ２１６の処理を行うマイコン２０が、第二の変形例における説明文表示手段を構成する。
【００５５】
また、ステップＳ２０４〜Ｓ２１６の処理を実行するマイコン２０が、上記説明文表示手段にて表示される説明文において、同説明文を構成する要素に対する説明を表示させる説明文要素説明表示手段を構成する。
【００５６】
（５）まとめ： 
つまり、操作項目にカーソルを合わせつつ、リモコン６０のヘルプキー６６を押下げ操作することにより同操作項目が選択入力され、マイコン２０は、同選択入力された操作項目に対応する説明文の情報を半導体メモリ２２より取得して同説明文の情報に基づくＯＳＤ信号をＯＳＤ回路２０ｄに生成させ、生成されたＯＳＤ信号を映像信号処理回路１８に対して供給して映像信号に重畳させることにより説明文のＯＳＤ表示のなされた映像信号を出力させることによりディスプレイに説明文を表示させる。
【００５７】
以上説明したように、本実施例に対応する請求項２にかかる映像表示装置では、所定の階層構造で階層化された操作項目を階層毎に一覧表示させる映像信号を出力し、表示させた上記操作項目の中からいずれかを選択する操作入力を操作入力手段から受け付けるとともに、選択された末端階層の上記操作項目に対応する設定処理を実行する映像表示装置において、上記操作項目にカーソルを合わせつつ所定の操作入力を操作入力手段より受け付けると当該操作項目に対応する説明文を表示させる説明文表示手段を備える構成としてある。
すなわち、上記操作項目にカーソルを合わせつつ所定の操作入力を上記操作入力手段より受け付けると、上記説明文表示手段が当該操作項目に対応する説明文を表示させる映像信号を出力させる。従って、ユーザは操作項目ごとに何を行うための操作項目であるかを、容易に知ることが出来る。さらに操作を行いつつ説明文を表示させることができるため自分の知りたい瞬間に知りたい事柄だけをピンポイントに表示させることができるためユーザの利便性が向上する。さらに、取扱説明書を不用ならしめることも可能である。むろん取扱説明書よりも平易な文章にて説明文を記載することにより、取扱説明書好まないユーザに好適である。以上の効果によりユーザクレームの防止にも繋がることはいうまでも無い。
【００５８】
そして、上記請求項２に記載の発明を、よりフレキシブルに様々なユーザに対応可能とする構成として、請求項３にかかる発明では、上記請求項２に記載の映像表示装置において、上記説明文表示手段にて表示する説明文の難易度を変更させる説明文難易度変更手段を備える構成としてある。
すなわち、上記説明文難易度変更手段が上記説明文表示手段にて表示される説明文の難易度を変更可能としている。すなわちユーザにとって説明文の難易度が高いときにはより平易な表現の説明文に変更可能とするとともに、ユーザにとって説明文の難易度が低いときにはより専門的な内容の説明文に変更可能となる。従って、コアなユーザから一般のユーザまで対応可能な映像表示装置を提供することが可能となる。
【００５９】
さらに、請求項４にかかる発明では、上記請求項２または請求項３に記載の映像表示装置において、上記説明文表示手段にて表示される説明文において、同説明文を構成する要素に対する説明を表示させる説明文要素説明表示手段を備える構成としてある。
すなわち、上記説明文要素説明表示手段が上記説明文表示手段にて表示される説明文の構成要素に対する説明を表示させる。構成要素としては単語単位でもよいし、文節単位でもよいし、文章単位でよく、ひとかたまりで説明可能な文の構成要素であればいかなるものであってもよい。これにより操作項目に対する説明文ですら難しいというユーザであっても、文の構成要素単位で説明を受けることが可能となるため、操作項目からの操作を完了させることが可能となる。
【００６０】
以上の構成を踏まえた上で、請求項１の発明は  上記課題を解決するために、本発明の請求項１にかかる発明では、挿入されたＤＶＤディスクに記憶されている映像デ−タを再生して映像信号として出力可能なディスク再生部と、映像信号が入力されて、当該映像信号よりディスプレイに表示させるための映像信号を生成して出力する映像信号処理回路と、所定のフォーマットのパルスで表現した赤外線信号を受信して対応する電圧信号を生成する赤外線受光回路と、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、上記ディスプレイの画面にＯＳＤ表示させるため上記映像信号に重畳するＯＳＤ信号を生成するＯＳＤ回路を有し、上記赤外線受光回路から上記電圧信号を入力して対応するキー操作を検知することにより上記リモコンから操作入力を受け付け、受け付けた操作入力に対応したＯＳＤ信号を生成するとともに所定の階層構造で階層化された操作項目を階層毎に画面に一覧表示させるＯＳＤ信号を生成し、上記映像信号処理回路より出力された映像信号に含まれる上記操作項目の中からいずれかを選択する操作入力を上記リモコンから受け付けるとともに選択された末端階層の上記操作項目に対応する設定処理を実行するマイコンと、上記操作項目それぞれの説明文を表す情報と同説明文の文節単位の「より詳細な説明」を表す情報とを記憶した半導体メモリと、を備えるＤＶＤ再生装置において、上記リモコンは、上記操作項目に対する説明文を画面に表示させるためのヘルプキーを備え、上記マイコンは、上記階層化された操作項目のいずれかにカーソルを合わされつつ上記ヘルプキーが操作入力されることにより同操作項目の選択入力を受け付けると、同選択入力された操作項目に対応する説明文の情報を上記半導体メモリより取得して同説明文の情報に基づくＯＳＤ信号を上記ＯＳＤ回路に生成させ、生成されたＯＳＤ信号を上記映像信号処理回路に対して供給して映像信号に重畳させることにより説明文のＯＳＤ表示のなされた映像信号を出力させ、上記説明文が表示されつつ上記ヘルプキーの操作入力を受け付けると、上記説明文の文節単位で移動可能なカーソルを表示したＯＳＤ信号を上記ＯＳＤ回路に生成させて画面を表示させ、生成されたＯＳＤ信号を上記映像信号処理回路に対して供給して映像信号に重畳させることにより、上記説明文の文節単位で移動可能なカーソルを表示したＯＳＤ表示のなされた映像信号出力させ、上記リモコンよりいずれかの文節の選択入力を受け付け、同選択入力された文節に対応する「より詳細な説明」の情報を上記半導体メモリより取得して同「より詳細な説明」の情報に基づくＯＳＤ信号を上記ＯＳＤ回路に生成させ、生成されたＯＳＤ信号を上記映像信号処理回路に対して供給して映像信号に重畳させることにより説明文のＯＳＤ表示のなされた映像信号を出力させる構成としてある。
【００６１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６２】
【図１】本実施例にかかるテレビジョンの概略構成を示すブロック図である。
【図２】本発明のリモコンの一例を示す図である。
【図３】本発明の階層型メニューの一例を示したブロック図である
【図４】テレビジョンの設定処理を実行するマイコンの処理を示すフローチャートである。
【図５】説明文表示処理を実行するマイコンの処理を示すフローチャートである。
【図６】ヘルプキー押下げの前後に表示される画面の一例である。
【図７】説明文表示処理の第一の変形例を実行するマイコンの処理を示すフローチャートである。
【図８】第一の変形例にかかる説明文が表示される画面の一例である。
【図９】説明文表示処理の第一の変形例を実行するマイコンの処理を示すフローチャートである。
【図１０】第二の変形例にかかる説明文が表示される画面の一例である。
【符号の説明】
【００６３】
１０…チューナ部
１０ａ…アンテナ
１２…スイッチ回路
１４…分離回路
１６…音声信号処理回路
１８…映像信号処理回路
２０…マイコン
２２…半導体メモリ
２４…リモコンＩ／Ｆ
２６…バス
２８…スピーカ
３０…ディスプレイ
６０…リモコン
６１ｅ…エンターキー
６４…セットアップキー
６６…ヘルプキー
６７…リターンキー
６８…電源キー
１００…テレビジョン
【図１】
2007305175.tif 000003
【図２】
2007305175.tif 000004
【図３】
2007305175.tif 000005
【図４】
2007305175.tif 000006
【図５】
2007305175.tif 000007
【図６】
2007305175.tif 000008
【図７】
2007305175.tif 000009
【図８】
2007305175.tif 000010
【図９】
2007305175.tif 000011
【図１０】
2007305175.tif 000012